(57)【要約】【課題】部品点数も少なく簡単な構造で、メカニカルキーが抜け落ちるのを防止することができる。【解決手段】この電子キー装置は、上カバー１と、上カバー１に収納され、信号の送受信回路、及びこの送受信回路を駆動するための電池を有する電子キー本体１２と、上カバー１と離間可能に互いに対向して設けられ、上カバー１と協同して空間を形成する下カバー３と、この下カバー３に収納されたメカニカルキー２と、上カバー１と下カバー３とをメカニカルキー２の基端部に形成された穴２ａを通って互いに接離方向に移動可能に連結したピン３ａと、を備え、メカニカルキー２は、穴２ａを中心に回動して先端部が上カバー１及び下カバー３から前記空間を形成したカバー体から突出する。【選択図】図２
2017008572.tif 000002
【特許請求の範囲】
【請求項１】
第１のカバーと、
この第１のカバーに収納され、信号の送受信回路、及びこの送受信回路を駆動するための電池を有する電子キー本体と、
前記第１のカバーと離間可能に互いに対向して設けられ、前記第１のカバーと協同して空間を形成する第２のカバーと、
この第２のカバーに収納されたメカニカルキーと、
前記第１のカバーと前記第２のカバーとを前記メカニカルキーの基端部に形成された穴を通って、互いに接離方向に移動可能に連結した連結部と、を備え、
前記メカニカルキーは、前記穴を中心に回動して先端部が前記第１のカバー及び前記第２のカバーからなる前記空間を形成したカバー体から突出する電子キー装置。
【請求項２】
前記連結部は、前記第１のカバーまたは前記第２のカバーの底面から垂直方向に延びたピンである請求項１に記載の電子キー装置。
【請求項３】
前記ピンは、少なくとも一方の端部が前記第１のカバー、または前記第２のカバーとスナップフィット係合し、前記第１のカバーと前記第２のカバーとを相対移動可能に接続している請求項２に記載の電子キー装置。
【請求項４】
前記ピンは、少なくとも一方の端部に頭部付きネジを有し、このピンは、前記第１のカバーと前記第２のカバーとを相対移動可能に接続している請求項２に記載の電子キー装置。
【請求項５】
前記連結部は、前記第１のカバー及び前記第２のカバーをそれぞれの隅部で連結したリングである請求項１に記載の電子キー装置。
【請求項６】
前記メカニカルキーの前記穴は、前記基端部の両側まで偏平状に延びており、前記リングは、この穴を通っている請求項５に記載の電子キー装置。
【請求項７】
さらに、前記第２のカバーには、基端部に前記連結部が通るスペア用穴を有するスペアキーベースが収納されており、
前記スペアキーベースは、前記スペア用穴を中心に回動して先端部が前記カバー体から突出する請求項１〜６の何れか１項に記載の電子キー装置。
【請求項８】
前記メカニカルキー及び前記スペアキーベースは、前記第２のカバーに並んで載置されている請求項７に記載の電子キー装置。
【発明の詳細な説明】
【技術分野】
【０００１】
この発明は、ＩＤデータ等の施解錠情報を出力する電子キー本体にメカニカルキーが装着された電子キー装置に関するものである。
【背景技術】
【０００２】
近年、使用者が携帯する通信端末（電子キー）と作動制御装置との間で各種のキーコードを送受信して制御対象の作動を許可する電子キー装置が提案されている。
こうした電子キー装置は、キーコードの送受信回路、および、この回路を駆動するための電池を内蔵した電子キー本体と、電池の消耗や回路の破損などにより正常に通信できない場合に用いられるメカニカルキーと、を備えている。
このメカニカルキーは、電池の消耗や回路の破損等、非常時に使用されるため使用頻度は低いが、非常時には必ず必要なものである。
【０００３】
この電子キー装置として、メカニカルキーの窪みとキーロック機構のスライドパーツのロック部とが係合してメカニカルキーをロック状態にし、またロック状態をバネの付勢力によりその後も維持することで、メカニカルキーが抜け落ちるのを防止したものが知られている（例えば、特許文献１参照）。
【先行技術文献】
【特許文献】
【０００４】
【特許文献１】特許第４９５３２４４号公報（段落００４１、図１０）
【発明の概要】
【発明が解決しようとする課題】
【０００５】
しかしながら、上記電子キー装置では、キーロック機構は、ノブ、キーロックベース、スライドパーツ及びバネの４つの部品から構成されており、構造が複雑、かつ大型化し、コストも嵩むという問題点があった。
また、この電子キー装置は、メカニカルキーの持ち手部分が電子キー装置から突出しており、それがデザインの一部を担っているため、電子キー装置のデザインの制約になっているという問題点もあった。
【０００６】
この発明は、かかる問題点を解決することを課題とするものであって、部品点数も少なく簡単な構造で、メカニカルキーが抜け落ちるのを確実に防止できる電子キー装置を得ることを目的とする。
また、メカニカルキーの非使用時には、メカニカルキーは、カバー体の内部に完全に収納されており、メカニカルキーの一部が外部に露出することによるデザインの制約も排除される電子キー装置を得ることを目的とする。
【課題を解決するための手段】
【０００７】
この発明に係る電子キー装置は、
第１のカバーと、
この第１のカバーに収納され、信号の送受信回路、及びこの送受信回路を駆動するための電池を有する電子キー本体と、
前記第１のカバーと離間可能に互いに対向して設けられ、前記第１のカバーと協同して空間を形成する第２のカバーと、
この第２のカバーに収納されたメカニカルキーと、
前記第１のカバーと前記第２のカバーとを前記メカニカルキーの基端部に形成された穴を通って、互いに接離方向に移動可能に連結した連結部と、を備え、
前記メカニカルキーは、前記穴を中心に回動して先端部が前記第１のカバー及び前記第２のカバーからなる前記空間を形成したカバー体から突出するようになっている。
【発明の効果】
【０００８】
この発明に係る電子キー装置によれば、メカニカルキーは、穴を中心に回動して先端部が第１のカバー及び第２のカバーからなる空間を形成したカバー体から突出するようになっており、部品点数も少なく簡単な構造で、メカニカルキーが抜け落ちるのを確実に防止することができる。
また、メカニカルキーの非使用時には、メカニカルキーは、カバー体の内部に完全に収納されており、メカニカルキーの一部が外部に露出することによるデザインの制約も排除され、電子キー装置のデザインの自由度が向上する。
【図面の簡単な説明】
【０００９】
【図１】この発明の実施の形態１の電子キー装置を示す斜視図である。
【図２】図１の電子キー装置を示す分解斜視図である。
【図３】図３（ａ）〜図３（ｄ）は、図１の電子キー装置のメカニカルキーを使用する際の手順を示した図である。
【図４】参考例である電子キー装置を一方向から視た斜視図である。
【図５】図４の電子キー装置を別の方向から視た斜視図である。
【図６】図４の電子キー装置を示す分解斜視図、及び下カバーにメカニカルキーが挿入された状態を示す斜視図である。
【図７】図１の電子キー装置の変形例である上カバーを示す斜視図である。
【図８】図１の電子キー装置の変形例であるピンを示す斜視図である。
【図９】図１の電子キー装置の他の変形例であるピンを示す斜視図である。
【図１０】図１０（ａ）〜図１０（ｄ）は、この発明の実施の形態２の電子キー装置のメカニカルキーを使用する際の手順を示した図である。
【図１１】図１１（ａ）〜図１１（ｄ）は、この発明の実施の形態３の電子キー装置のメカニカルキーを使用する際の手順を示した図である。
【図１２】図１２（ａ）〜図１２（ｄ）は、この発明の実施の形態４の電子キー装置のメカニカルキーを使用する際の手順を示した図である。
【図１３】図１２のスペアキーベースを示す斜視図である。
【発明を実施するための形態】
【００１０】
以下、この発明の各実施の形態の電子キー装置について説明するが、各図において同一、または相当部材、部位については、同一符号を付して説明する。
【００１１】
実施の形態１．
図１は、この発明の実施の形態１の電子キー装置を示す斜視図、図２は、図１の電子キー装置を示す分解斜視図である。
この電子キー装置は、操作ボタン１０が表面に配置された第１のカバーである上カバー１と、この上カバー１に収納され、信号の送受信回路、及びこの送受信回路を駆動するための電池を有する電子キー本体１２と、上カバー１と離間可能に互いに対向して設けられ上カバー１と協同して空間を形成する第２のカバーである下カバー３と、この下カバー３に収納されたメカニカルキー２と、上カバー１と下カバー３とをメカニカルキー２の基端部に形成された穴２ａを通って、上カバー１及び下カバー３を相対移動可能に連結した連結部であるピン３ａと、を備えている。
メカニカルキー２は、電池の消耗や回路の破損などにより正常に通信できない場合に使用されるものであって、このメカニカルキー２は、穴２ａを中心に回動して先端部が上カバー１及び下カバー３からなる空間を形成したカバー体から突出するようになっている。  周縁部を矩形状の壁部で囲った下カバー３のうち、ピン３ａに対向した壁部には、溝部３ｂが形成されており、この溝部３ｂを通じてメカニカルキー２の先端部が外部に突出する。
【００１２】
図３（ａ）〜図３（ｄ）は、この電子キー装置のメカニカルキー２を使用する際の手順を示した図である。
先ず、下カバー３から上カバー１を上方向に離間して取り外す（図３（ａ）参照）。
次に、ピン３ａを中心にして上カバー１を時計方向に約９０°回動させる（図３（ｂ）参照）。
引き続き、メカニカルキー２をピン３ａに沿って持ち上げた後、ピン３ａを中心に時計方向に１８０°回動させる（図３（ｃ）参照）。
その後、メカニカルキー２を押し下げ、溝部３ｂに収めた状態で、メカニカルキー２の基端部を除いた部位を下カバー３から突出させ、引き続き上カバー１をピン３ａを中心にして反時計方向に回動させて下カバー３に重ね合せた後、降下させて下カバー３に接合する（図３（ｄ）参照）。
この後、下カバー３及び上カバー１からなるカバー体を持ち手としてメカニカルキー２を用いることができる。
【００１３】
図４は、参考例である電子キー装置を一方向から視た斜視図、図５は、図４の電子キー装置を別の方向から視た斜視図、図６は、図４の電子キー装置を示す分解斜視図、及び下カバー３にメカニカルキー２が挿入された状態を示す斜視図である。
この電子キー装置では、メカニカルキー２の持ち手の部位が外部に露出している。
なお、符号８は、メカニカルキー２が電子キー装置から抜け落ちるのを防止し、ロックするロックレバー、符号９は、ロックを維持するバネ、符号１１は、電池キャップである。
【００１４】
この実施の形態の電子キー装置によれば、メカニカルキー２は、穴２ａを中心に回動して先端部が上カバー１及び下カバー３からなる空間を形成したカバー体から突出するようになっており、部品点数も少なく簡単な構造で、メカニカルキー２が抜け落ちるのを確実に防止することができる。
また、メカニカルキー２が抜け落ちるのを阻止する連結部は、下カバー３と一体成形で形成されたピン３ａであり、大型化することなく、低コストで済む。
また、メカニカルキー２の取り出しは、電池交換作業と同じ手順で可能であり、簡単な作業で済む。
また、メカニカルキーの非使用時には、上記参考例の電子キー装置と異なり、メカニカルキー２は、カバー体の内部に完全に収納されており、メカニカルキー２の一部が外部に露出することによるデザインの制約も排除され、電子キー装置のデザインの自由度が向上する。
【００１５】
なお、上記実施の形態では、ピン３ａは、上カバー１と下カバー３とをメカニカルキー２の穴２ａを通って互いに接離方向に連結したが、上カバー１及び下カバー３を切離可能に連結したピン３ａの具体的構成の一例を図７及び図８に示す。
この例では、ピン３ａの先端部が、上カバー１に形成された、下端部に鍔がある円筒形状の挿入筒１ａにスナップフィット係合しており、上カバー１が下カバー３から取り外されることはない。即ち、上カバー１及び下カバー３からなるカバー体からメカニカルキー２が外れることはない。
また、図９に示した例では、ピン３ａは、上部に頭部付きネジ６を有しており、ネジ６の頭部がストッパーとして機能し、上カバー１が下カバー３から取り外れないようになっている。
【００１６】
実施の形態２．
図１０（ａ）〜図１０（ｄ）は、この発明の実施の形態２の電子キー装置のメカニカルキー２を使用する際の手順を示した図である。
この実施の形態では、上カバー１と下カバー３とは、それぞれの隅部で、連結部であるリング４により連結されている。
メカニカルキー２は、Ｔの字形状であり、メカニカルキー２の頭部である基端部には、基端部の両側まで延びた扁平上の穴２ａが形成されている。この穴２ａにはリング４が掛けられている。
他の構成は、実施の形態１の電子キー装置と同じであり、その説明は省略する。
【００１７】
この実施の形態２の電子キー装置のメカニカルキー２を使用するに際しては、先ず下カバー３から上カバー１をリング４で連結された状態で取り外す（図１０（ａ）、図１０（ｂ）参照）。
次に、メカニカルキー２を下カバー３から持ち上げるとともに、穴２ａを中心にして
水平時計方向に１８０°回動させ、メカニカルキー２の基端部の中心部が溝部３ｂ上に位置した時点でメカニカルキー２を押し下げる（図１０（ｃ）参照）。
なお、このメカニカルキー２は、メカニカルキー２の回動中、リング４に対する穴２ａの位置は、一方の端部から他方の端部に向かって移動する。
その後、下カバー３に上カバー１を重ね合せた後、降下させて下カバー３に嵌着させる（図１０（ｄ）参照）。
この後、下カバー３及び上カバー１からなる本体を持ち手としてメカニカルキー２を用いることができる。
【００１８】
この実施の形態の電子キー装置によれば、上カバー１と下カバー３とが、下カバー３の一端部の中央部に設けられたピン３ａを介して連結された実施の形態１の電子キー装置と異なり、上カバー１及び下カバー３からなるカバー体の内部の構成部品のレイアウトに与える影響の低い上カバー１と下カバー３とは隅部でリング４を介して連結されており、カバー体の内部の構成部品のレイアウトの自由度が向上する。
他の効果は、実施の形態１の電子キー装置と同じであり、その説明は省略する。
【００１９】
実施の形態３.
図１１（ａ）〜図１１（ｄ）は、この発明の実施の形態３の電子キー装置のメカニカルキーを使用する際の手順を示した図である。
この実施の形態では、実施の形態１のピン３ａに、メカニカルキー２とともにメカニカルキー２に重なるようにしてスペアキーベース７も挿入されている。
このスペアキーベース７は、使用者が電子キー装置を購入した後、家の鍵や車庫のシャッターの鍵等の用途に応じてキー溝を作製する素材である。
他の構成は、実施の形態１の電子キー装置と同じであり、その説明は省略する。
また、電子キー装置のメカニカルキーを使用する際の手順についても、実施の形態１の電子キー装置と同じであり、その説明は省略する。
【００２０】
この実施の形態の電子キー装置によれば、メカニカルキー２の他に、別の用途のキーを電子キー装置は、保管することになり、電子キー装置は、キーホルダとしての機能も併せ持つことができる。
【００２１】
実施の形態４.
図１２（ａ）〜図１２（ｄ）は、この発明の実施の形態４の電子キー装置のメカニカルキーを使用する際の手順を示した図である。
この実施の形態では、Ｌ字形状のメカニカルキー２及びスペアキーベース７は、メカニカルキー２の穴２ａ、スペアキーベース７のスペア用穴７ａを有するそれぞれの基端部が重なるようにして、下カバー３に載置されている。
スペアキーベース７は、図１３に示すように、基端部に段差が形成されており、またメカニカルキー２の基端部も段差が形成されている。
メカニカルキー２及びスペアキーベース７は、それぞれの基端部の高さが、基端部を除く他の部位と比較して半分の高さである。
従って、メカニカルキー２及びスペアキーベース７は、下カバー３に並んで載置されているときには、それぞれの基端部は、ピン３ａが挿入された状態で重なっているものの、それらが重なった高さは、メカニカルキー２及びスペアキーベース７の基端部を除く他の部位の高さと同じである。
他の構成は、実施の形態１の電子キー装置と同じであり、その説明は省略する。
また、電子キー装置のメカニカルキーを使用する際の手順についても、実施の形態１の電子キー装置と同じであり、その説明は省略する。
【００２２】
実施の形態３の電子キー装置の場合、メカニカルキー２とスペアキーベース７とが重なってカバー体内に収納されており、電子キー装置の厚みが増してしまう。
これに対して、この実施の形態４の電子キー装置によれば、メカニカルキー２及びスペアキーベース７は、下カバー３に並んで載置されているので、電子キー装置の厚みを薄くすることができる。
【００２３】
なお、この実施の形態では、メカニカルキー２及びスペアキーベース７は、下カバー３のピン３ａに挿入されているが、メカニカルキー２を上カバー１からのピンに挿入し、スペアキーベース７を下カバー３からのピンに挿入することで、メカニカルキー２及びスペアキーベース７は互いに制約を受けることなく、個別に取り出し、使用することができるようにしてもよい。
【００２４】
なお、上記各実施の形態１、３及び４では、連結部であるピン３ａは、下カバー３に設けられていたが、上カバー１に設けてもよい。
【符号の説明】
【００２５】
１  上カバー（第１のカバー）、１ａ  挿入筒、２  メカニカルキー、２ａ  穴、３  下カバー（第２のカバー）、３ａ  ピン（連結部）、３ｂ  溝部、４  リング（連結部）、６  頭部付きネジ、７  スペアキーベース、７ａ  スペア用穴、８  ロックレバー、９  バネ、１０  操作ボタン、１１  電池キャップ、１２  電子キー本体。
【図１】
2017008572.tif 000003
【図２】
2017008572.tif 000004
【図３】
2017008572.tif 000005
【図４】
2017008572.tif 000006
【図５】
2017008572.tif 000007
【図６】
2017008572.tif 000008
【図７】
2017008572.tif 000009
【図８】
2017008572.tif 000010
【図９】
2017008572.tif 000011
【図１０】
2017008572.tif 000012
【図１１】
2017008572.tif 000013
【図１２】
2017008572.tif 000014
【図１３】
2017008572.tif 000015
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
第１のカバーと、
この第１のカバーに収納され、信号の送受信回路、及びこの送受信回路を駆動するための電池を有する電子キー本体と、
前記第１のカバーと離間可能に互いに対向して設けられ、前記第１のカバーと協同して空間を形成する第２のカバーと、
この第２のカバーに収納されたメカニカルキーと、
前記第１のカバーと前記第２のカバーとを前記メカニカルキーの基端部に形成された穴を通って、互いに接離方向に移動可能に連結した連結部と、を備え、
前記メカニカルキーは、前記穴を中心に回動して先端部が前記第１のカバー及び前記第２のカバーからなる前記空間を形成したカバー体から突出し、
前記連結部は、前記第１のカバーまたは前記第２のカバーの底面から垂直方向に延びたピンであり、
前記第１のカバーと前記第２のカバーとは前記ピンの延びる方向に沿って相対移動できる、
電子キー装置。
【請求項２】
前記ピンは、少なくとも一方の端部が前記第１のカバー、または前記第２のカバーとスナップフィット係合し、前記第１のカバーと前記第２のカバーとを相対移動可能に接続している請求項１に記載の電子キー装置。
【請求項３】
第１のカバーと、
この第１のカバーに収納され、信号の送受信回路、及びこの送受信回路を駆動するための電池を有する電子キー本体と、
前記第１のカバーと離間可能に互いに対向して設けられ、前記第１のカバーと協同して空間を形成する第２のカバーと、
この第２のカバーに収納されたメカニカルキーと、
前記第１のカバーと前記第２のカバーとを前記メカニカルキーの基端部に形成された穴を通って、互いに接離方向に移動可能に連結した連結部と、を備え、
前記メカニカルキーは、前記穴を中心に回動して先端部が前記第１のカバー及び前記第２のカバーからなる前記空間を形成したカバー体から突出し、
前記連結部は、前記第１のカバーまたは前記第２のカバーの底面から垂直方向に延びたピンであり、
前記ピンは、少なくとも一方の端部が前記第１のカバー、または前記第２のカバーとスナップフィット係合し、前記第１のカバーと前記第２のカバーとを相対移動可能に接続している、
電子キー装置。
【請求項４】
前記ピンは、少なくとも一方の端部に頭部付きネジを有し、このピンは、前記第１のカバーと前記第２のカバーとを相対移動可能に接続している請求項１〜３の何れか一項に記載の電子キー装置。
【請求項５】
第１のカバーと、
この第１のカバーに収納され、信号の送受信回路、及びこの送受信回路を駆動するための電池を有する電子キー本体と、
前記第１のカバーと離間可能に互いに対向して設けられ、前記第１のカバーと協同して空間を形成する第２のカバーと、
この第２のカバーに収納されたメカニカルキーと、
前記第１のカバーと前記第２のカバーとを前記メカニカルキーの基端部に形成された穴を通って、互いに接離方向に移動可能に連結した連結部と、を備え、
前記メカニカルキーは、前記穴を中心に回動して先端部が前記第１のカバー及び前記第２のカバーからなる前記空間を形成したカバー体から突出し、
前記連結部は、前記第１のカバー及び前記第２のカバーをそれぞれの隅部で連結したリングである、
電子キー装置。
【請求項６】
前記メカニカルキーの前記穴は、前記基端部の両側まで偏平状に延びており、前記リングは、この穴を通っている請求項５に記載の電子キー装置。
【請求項７】
さらに、前記第２のカバーには、基端部に前記連結部が通るスペア用穴を有するスペアキーベースが収納されており、
前記スペアキーベースは、前記スペア用穴を中心に回動して先端部が前記カバー体から突出する請求項１〜６の何れか１項に記載の電子キー装置。
【請求項８】
前記メカニカルキー及び前記スペアキーベースは、前記第２のカバーに並んで載置されている請求項７に記載の電子キー装置。